(57)【要約】　　　（修正有）【課題】安価な余剰電力の活用と酸素供給の効率化と多元化を両立実現すること、さらに酸素やエネルギー等の資源領域におけるサプライチェーンマネジメントを地域的かつ業種包括的に確立することである。【解決手段】１．安価な深夜電力や、自家発電や自然エネルギーによる発電の余剰電力を用いるとともに、水の電気分解により発生する水素を供給販売もしくは備蓄再電力化してコストダウンを行う。２．水の電気分解により発生するオゾンを利用した消毒、殺菌機能を提供する。３．水の電気分解により発生する熱エネルギーを利用する暖房、給湯等のサービスを提供する。４．電力供給制御装置により水素、酸素の貯蔵量および需要予測等の情報ならびに深夜電力等の時刻に基づきもっとも安価な、若しくは適切な電力導入をシステムに入力指図する。【選択図】図１
2004057778.tif 000002
【特許請求の範囲】
【請求項１】
市販電力を利用して水の電気分解を行い、発生する水素を供給再利用し同時に産出する酸素を供給利用するコジェネレーションシステム、および市販電力を利用して水の電気分解を行い、発生する水素を供給再利用し、同時に産出する酸素を供給利用するコジェネレーションシステムを提供運営する事業。
【請求項２】
安価な市販電力、例えば電力会社の深夜電力等を電源とする水の電気分解装置を備え、水の電気分解を行い発生する水素を燃料として供給、若しくは変換再利用し、同時に産出する酸素を人体のために供給利用するコジェネレーションシステム、およびこのコジェネレーションシステムを提供運営する事業。
【請求項３】
市販電力の受電設備を備え、この電力を自動または手動にて供給する整流装置を備え、それを電源とする水の電気分解装置を備え、水の電気分解を行い、発生する水素を燃料として供給若しくは変換再利用し、同時に産出する酸素を人体機能改善や燃焼機関の燃焼効率向上、汚水等の浄化、生物の成長促進のために供給利用するコジェネレーションシステム、およびこのコジェネレーションシステムを提供運営する事業。
【請求項４】
市販電力の受電設備を備え、この電力を自動または手動にて供給する整流装置と蓄電装置または蓄エネルギー装置を備え、システム内の情報に基づいて最も安価な電力を選択供給できる電力供給制御装置を備え、それを電源とする水の電気分解装置を備え、水の電気分解を行い、発生する水素を燃料として供給若しくは変換再利用し、同時に産出する酸素を人体機能改善や燃焼効率向上、汚染浄化、生物の成長促進のために供給利用するコジェネレーションシステム、およびこのコジェネレーションシステムを提供運営する事業。
【請求項５】
自家発電や、自然エネルギーによる発電電力を利用して水の電気分解を行い、発生する水素を供給再利用し、同時に産出する酸素を人体のために供給利用するコジェネレーションシステム、および自家発電や、自然エネルギーによる発電電力を利用して水の電気分解ををおこない、発生する水素を供給再利用し、同時に産出する酸素を供給利用するコジェネレーションシステムを提供運営する事業。
【請求項６】
自家発電や、自然エネルギーによる発電電力の受電装置と蓄電装置を備え、それを電源とする水の電気分解装置を備え、水の電気分解を行い、発生する水素を燃料として供給若しくは変換再利用し、同時に産出する酸素を人体機能改善や燃焼機関の燃焼効率向上、汚水等の浄化、生物の成長促進のために供給利用するコジェネレーションシステム、およびこのコジェネレーションシステムを提供運営する事業。
【請求項７】
自家発電や、自然エネルギーによる発電電力の受電装置と蓄電装置を備え、システム内の情報に基づいて最も安価もしくは適切な電力を選択供給できる電力供給制御装置を備え、選択された供給電力を電源とする水の電気分解装置を備え、水の電気分解を行い、発生する水素を燃料として供給若しくは変換再利用し、同時に産出する酸素を人体機能改善や燃焼機関の燃焼効率向上、汚水等の浄化、生物の成長促進のために供給利用するコジェネレーションシステム、およびこのコジェネレーションシステムを提供運営する事業。
【請求項８】
市販電力と自家発電や自然エネルギーによる発電電力を利用して水の電気分解を行い、発生する水素を供給再利用し、同時に産出する酸素を人体のために供給利用するコジェネレーションシステム、および市販電力と自家発電や自然エネルギーによる発電電力を利用して水の電気分解を行い、発生する水素を供給再利用し、同時に産出する酸素を供給利用するコジェネレーションシステムを提供運営する事業。
【請求項９】
市販の安価な電力例えば電力会社の深夜電力等と自家発電や自然エネルギーによる発電電力の受電設備と蓄電装置を備え、この電力を自動または手動にて供給する整流装置を備え、それを電源とする水の電気分解装置を備え、水の電気分解を行い、発生する水素を供給再利用し、同時に産出する酸素を人体機能改善や燃焼機関の燃焼効率向上、汚水等の浄化、生物の成長促進のために供給利用するコジェネレーションシステム、およびこのコジェネレーションシステムを提供運営する事業。
【請求項１０】
市販の安価な電力、例えば電力会社の深夜電力等と自家発電や自然エネルギーによる発電電力の受電設備と蓄電装置または蓄エネルギー装置を備え、この電力を自動または手動にて供給する整流装置を備え、システム内の情報に基づいて所望の電力を選択供給できる電力供給制御装置を備え、それを電源とする水の電気分解装置を備え、水の電気分解を行い、発生する水素を供給再利用し、同時に産出する酸素を供給利用するコジェネレーションシステム、およびこのコジェネレーションシステムを提供運営する事業。
【請求項１１】
電力と、水素と、酸素を、あるいは電力と水素と酸素の使用権利を交換する補完システム、および電力と、水素と、酸素を、あるいは電力と水素と酸素の使用権利を交換する補完システムを提供運営する事業。
【請求項１２】
電力、水素、酸素、または熱量、二酸化炭素排出量、水道水を、あるいは電力と水素、酸素、水道水または熱量の使用権利または二酸化炭素排出権を交換する補完システム、およびこの補完システムを提供運営する事業。
【請求項１３】
電力と水の電気分解により産出し燃料として供給再利用するための水素または水の電気分解により産出し供給利用する酸素を、あるいは電力と水の電気分解により産出し燃料として供給再利用するための水素または水の電気分解により産出し供給利用する酸素の使用権利を交換する補完システム、およびこれらの補完システムを提供運営する事業。
【請求項１４】
請求項１から１３に記載の安価な高濃度酸素供給機構としての水の電気分解システムにおいて、オゾンの採取とオゾン水として利用するシステム、およびオゾン水として利用するシステムを提供運営する事業。
【請求項１５】
市販の安価な電力、例えば電力会社の深夜電力等の受電設備を備え、この電力を自動または手動にて供給する整流装置を備え、システム内の情報に基づいて所望の電力を選択供給できる電力供給制御装置を備え、それを電源とする水の電気分解装置を備え、水の電気分解を行い、発生する水素を燃料として供給若しくは変換再利用し、同時に産出する酸素を病院、老人ホーム等の介護施設、スポーツジム、各種保健施設、在宅酸素療法を受ける家庭等における人体の治療もしくは機能改善、燃焼機関の燃焼効率向上、汚水等の浄化のために供給利用するコジェネレーションシステム、およびこのコジェネレーションシステムを提供運営する事業。
【請求項１６】
自家発電や、自然エネルギーによる発電の余剰電力の受電装置を備え、システム内の情報に基づいて最も適切な電力を選択供給できる電力供給制御装置を備え、それを電源とする水の電気分解装置を備え、水の電気分解を行い、発生する水素を燃料として供給若しくは変換再利用し、同時に産出する酸素を病院、老人ホーム等の介護施設、スポーツジム、各種保健施設、在宅酸素療法を受ける家庭等における人体の治療もしくは機能改善に供給利用するコジェネレーションシステム、およびこのコジェネレーションシステムを提供運営する事業。
【請求項１７】
市販の安価な電力、例えば電力会社の深夜電力等と自家発電や自然エネルギーによる発電の余剰電力の受電装置を備え、この電力を自動または手動にて供給する整流装置を備え、システム内の情報に基づいて最も安価な電力を選択供給できる電力供給制御装置を備え、それを電源とする水の電気分解装置を備え、水の電気分解を行い、発生する水素を燃料として供給若しくは変換再利用し、同時に産出する酸素を病院、老人ホーム等の介護施設、スポーツジム、各種保健施設、在宅酸素療法を受ける家庭等における人体の治療もしくは機能改善に供給利用するコジェネレーションシステム、およびこのコジェネレーションシステムを提供運営する事業。
【請求項１８】
複数の医療関連施設、保健施設における電力、治療用酸素、供給および再利用用水素の統括的需給を調整する運営業態、および複数の医療関連、保健施設において請求項１から１７の運営を請け負う事業形態。
【請求項１９】
ＳＰＤ（サプライプロセシングディストリビューション）と統合された運営業務としての、市販電力、自家発電、蓄電、電気分解等による、電力、酸素、水素、水道水のなかのいずれかを組み合わせた資源管理と需給調整の運営を請け負う事業形態。
【請求項２０】
医療関連施設、発電者および電力所有者、水素貯蔵者、酸素所有者、電力配電者および電力、酸素、水素の消費者間における電力、酸素、水素の交換により、電力、酸素、水素の需要と供給の整合最適化を実現する統合システム、および電力と酸素または水素の資源交換もしくは売買の仲介業務。
【請求項２１】
請求項１から請求項２０の構成要素である水の電気分解による高濃度酸素供給機構における、耐圧容器に充填した酸素の酸素貯蔵局所への補充使用。
【発明の詳細な説明】
【０００１】
【発明の属する技術分野】
【０００２】本発明は酸素の産出、供給システムとエネルギーの活用に関するものであり、病院、老人ホーム等の介護施設、各種保健施設、在宅酸素療法を受ける家庭等の医療設備に常時酸素を安定した供給を行い、その所要酸素量の供給等の管理を容易にし、或いは自動化することが可能になるのみならず、運搬経費および水素利用を含めて施設管理に要する総コストの低減をもたらすシステムとその体系的な運用事業様態、および余剰また自然エネルギーの活用による環境の改善の分野に関する。
【０００３】更に事業運営の既定概念によれば連携が考えられにくい業種（施設近郊の工場、商業施設、変電所等）間で、電力、酸素、水素等の資源やエネルギーを融通しあうネットワーク化によるリスク管理、資源活用、経費節減のマネジメント分野に関する。
【０００４】
【従来の技術】医療機関等施設内での中小規模の酸素の使用においては、耐圧容器に充填した酸素を貯蔵場所に設置し、酸素使用に必要な圧力、流量のレギュレータ装置を備えた配管との接続により、所定の酸素使用場所に供給するシステムを取ってきた。このため使用する酸素は軽量にもかかわらず、耐圧容器は重量物となり、酸素の価格は重量物運搬費が大部分を占めている。また所要酸素量の供給は、それぞれの耐圧容器の容量単位となり、貯蔵場所の容積も考慮して、管理しなければならない。
【０００５】一方、電力の需給については、ピーク時使用電力に備えて膨大な発電と供給システムを準備する割に夜間の需要はわずかに過ぎない。従って、高濃度酸素の産出利用と電力供給は無関係状態であり、資源利用に巨大な不適合が存在する。さらに、地域の工場、コンビニ、家庭、医療保健施設等は各々がバラバラの資源産出や利用を行うために様々な浪費が避けられない。
【０００６】また病院、老人ホーム等の介護施設、及び各種保健施設における物品管理と購入プロセスとして、ＳＰＤ（サプライ　プロセシング＆ディストリビューション）がある。ＳＰＤでは施設内外での材料一括管理、医療現場での定数管理、材料購入価格表示等により、現場でのコスト意識向上、および、医事請求シールの採用により、死蔵在庫、材料ムダ使い、保険請求漏れを自動的に低減させるシステムが、診療材料購買プロセスに付加された。
【０００７】しかしながら、これらの管理はバーコードで数量をチェックできる物品の管理に留まり、莫大な経費が費やされるにも関わらず視覚認識できないものや電力等の資源管理には及んでいない。
【０００８】
【発明が解決しようとする課題】病院等で酸素療法等に使用されておる酸素は、主として、高圧ボンベにより供給蓄積され、所要の部屋または場所にパイプラインにより移送され、高圧酸素は圧力変換器により減圧され、さらに所要条件に従って、圧力及び流量の調節を行い使用されておる。そのため外部よりの高圧ボンベの輸送と一定期間の所要量の貯蔵に関わる人件費を含む輸送と貯蔵経費が必要である。
【０００９】一方、電力の需給については、日中の使用ピーク電力に備えて過大な発電と供給システムを準備する割に夜間の需要はわずかに過ぎない。また、ＳＰＤにおいては、バーコードシステムの導入により、物品の定数管理が迅速且つ正確に行われるようになったが、数量による管理が困難な酸素やエネルギー等の管理は未だＳＰＤシステムによる管理の簡易化とコストダウンの恩恵を受けていない。さらに、医療保健機関と、工場、各種商店、燃料補給所、自家発電所におけるエネルギー、酸素、水素等の資源管理は個別単独に執行されており各所に資源利用の非効率がみられる。
【００１０】本発明の課題は上記の酸素供給の効率化と余剰電力の活用を両立実現すること、さらに酸素や水素、電力、熱量等エネルギーの定数化されにくい資源領域のＳＰＤへの組み込みによる医療機関管理の簡易化とコストダウン、さらには地域的な資源利用の統括共有化によるサプライチェーンマネジメントを確立することである。
【００１１】
【課題を解決するための手段】本システムは供給元より運搬された高圧ボンベを経て酸素を供給する代わりに、自家発電や安価なあるいは余剰の電力をもちいて、電気分解装置によりサプライオンデマンド／オンサイトによる水からの高濃度酸素を産出するシステムを用い、エネルギー源としての水素の産出貯蔵と同時に安価かつ安定的に酸素を人体治療等のために供給することを主眼とする。
【００１２】１．安価な電力会社の深夜電力や、自家発電や、太陽光、太陽熱、風力等の自然エネルギーによる発電の際の電力を利用して、水の電気分解により高濃度の酸素とともに水素をも獲得する。水素については他者への供給販売、もしくは燃料電池に投入し、蓄積および発電等エネルギー源として再利用したり、得られる電力をフィードバックして水の電気分解に再入力することにより効果的な資源利用をもたらす。
【００１３】２．また備蓄水素や酸素により、昼間においても電力の供給サービスを行い２４時間対応の酸素の補給を行う。
【００１４】３．また水の電気分解時に生ずるオゾン発生を利用し、オゾン水を抽出し、建物や器具等の消毒に利用するサービスを提供する。
【００１５】４．また水の電気分解装置に生ずる、水素発生を利用し、建物や空間等の冷暖房、温水装置に利用する、もしくは熱エネルギーを利用するサービスを提供する。
【００１６】５．水の電気分解装置に供給される上記の電力は、電力供給制御装置を通じて供給される。電力供給制御装置は、水素貯蔵装置の水素貯蔵量、酸素貯蔵装置の酸素貯蔵量、および水素、酸素、オゾン水の需要シグナルや予測等の情報並びに深夜電力等安価な電力の使用可能な時刻に基づいて最も適切な電力を選択供給するよう制御する。
【００１７】６．解決手段１から５に記載の局地手段とともに、多施設を組み入れてこの仕組みを運営する業態を一括化したり、他のエネルギー供給および消費の動態とリンクさせることによる。
【００１８】７．サプライチェーンマネジメントとして、解決手段１から６に記載の運営業態を各態様のＳＰＤ運営と一括化することによる。
【００１９】
【発明の実施の形態】深夜電力、自然エネルギー発電、自家発電余剰電力等は受電設備を通じて電力供給制御装置に供給される。またシステム内で発電された電力もフィードバックされて電力供給制御装置に入力される。システム内の情報に基づいてもっとも安価もしくは適切な電力が選択され水の電気分解装置に供給される。水の電気分解によって得られた酸素と水素は夫々の貯蔵装置に入れられ、発生した熱は冷暖房、温水装置にてコジェネレイションシステムとして利用される。オゾン水は消毒、滅菌に使用される。酸素貯蔵装置は非常用の酸素ボンベと一体化され、水の電気分解は充分な酸素または水素貯蔵のもとに休止される。貯蔵された酸素は施設内の酸素供給装置により必要とする場所に送られ使用される。または施設外に供給販売される。貯蔵された水素は販売されるか、もしくは燃料電池に供給され電力化され、販売されるか、もしくは電力供給制御装置に入力され、水の電気分解に再利用される。燃料電池より発生する熱は冷暖房装置や温水装置に利用される。
【００２０】本システムは酸素を使用する施設の内部に施設の一部として設置することが可能のみならず、酸素を使用する複数の施設の近傍に設置し、配管により酸素を供給することも可能である。副産物である水素の価格より考慮すれば、その利用法を主体とする場所に重点を置き設置することも、計画できる。またオゾンの需要の多いときには、異なる或いは複数の電気分解装置を設置して需要の変動に適合する酸素とオゾン水との作りわけを行う。
【００２１】ＳＰＤに組み込んだ場合の本発明の実施形態としては以下の四つの型がある。
院外一括供給型は院外の一社に限定して、物品の供給管理とともに院外の本発明システム施設よりエネルギー、酸素等の供給を受ける。院外物流管理型では一社に限定せず、院外の施設よりエネルギー、酸素等の供給を受ける。院内業務委託型では院内に本発明の施設を設置しその運営を院外の会社に業務委託をする。院内運営型では院内に本発明の施設を設置し、病院や介護施設、或いは保健所の職員が運営管理する。
【００２２】医療機関、介護施設や在宅酸素療法中の患者宅等で使用される高濃度の酸素は酸素供給業者からボンベにつめて納入されたり大気中の酸素の濃縮によって得られてきた。請求項１では電解漕に水を満たされた電気分解装置に市販電力を投入して得られた高濃度酸素を人体治療に、また得られた水素は貯蔵または配送によって、燃料として再使用に用いるコジェネレーションを構成する。
【００２３】電気分解装置システムを作動すると、電解槽内の陽極側に酸素が、陰極側に水素が濃縮され、気体として蒸散するので、電極周辺では酸素および水素を高濃度で獲得できる。得られた酸素は貯蔵用配管系を介して加圧貯蔵され、一時的に蓄えられた後消費用配管をへて病室等に供給されて、人体への投与に用いられる。いっぽう、水素は貯蔵され、後に発電用資源として利用されたり、水素供給配管系に投入される。
【００２４】システム構成例としては、１．医療機関、患者宅等に単独の電気分解装置システムを構築する。このなかに、医療機関または患者等消費者自身が装置システムを保有運用する様式と、消費者は酸素または水素を受け取るのみで、装置システムの保有運用者は第三者である様式をとる。２．いくつかの医療関連施設、患者宅等用の地域的な酸素と水素の供給を担う共有の集中型電気分解システムを備える場合と、第三者が保有運用する集中型電気分解システムから得られた酸素と水素の消費者へ配給を請け負う。の実施形態をとる。
【００２５】請求項２は、請求項１に記載の電気分解装置システム、あるいは電気分解装置システムの提供連用事業において、酸素、水素の獲得費用を低減するために運用ノウハウに関する。電力料金の安価な時間帯または需要者にとって有利な購入条件のもとで、あるいは電力売買市場から購入した安価な電力を利用して、電気分解に要する消費電力経費を削減しつつ、充分量の酸素と水素を産生して、大きな酸素または水素需要が生じる時のために貯蔵する仕組みを機能させる。
【００２６】請求項３は、請求項１と２に記載の電気分解装置システム、あるいは電気分解装置システムの提供運用事業において、酸素、水素の獲得費用の低減と用途の多様化のための運用ノウハウに関する。電力料金の安価な時間帯や有利な購入条件を認識することにより、あるいは余剰電力の提供を認識することにより、電気分解に供する電力投入を制御しつつ、適正量の酸素と水素を産生して、大きな酸素または水素需要が生じる時のために適正な貯蔵を確保する仕組みをプログラミングして作動させるあるいは保守維持担当の人物が選択入力する機構を備えて運用する。供給又は貯蔵された水素は再利用し、高濃度酸素は人体へ投与、内燃機関の吸気系に導入、また汚染物質の浄化のために、浄化槽、ため池、河川などに投入する。
【００２７】請求項４は、請求項１、２、３に記載の電気分解装置システム、あるいは電気分解装置システムの提供運用事業において、酸素、水素の獲得費用を低減し用途とエネルギー蓄積法を多様化するための運用ノウハウに関する。電力料金の安価な時間帯および適正な供給元を認識することにより、あるいは適正な余剰電力の提供を認識することにより、電気分解に供する電力投入と蓄電装置、フライホイル等蓄エネルギー装置への導入を統括しつつ、酸素と水素を産生して、酸素または水素の蓄積量と需要の予測に基づいた適正な貯蔵を確保する仕組みをアルゴニズムとしてプログラム入力して作動させるあるいは保守維持担当の人物による判断関与によって選択入力する機構を備えて機能させる。
【００２８】請求項５では電解漕に水を満たされた電気分解装置に天然ガス、燃料電池、風力、太陽光、水力、地熱などによる自家発電あるいは共同事業者による発電源からの配電電力を投入して得られた高濃度酸素を人体治療に、また得られた水素は貯蔵または配送によって、燃料として再使用に用いるコジェネレーションを構成する。
【００２９】電気分解装置システムを作動すると、電解槽内の陽極側に酸素が、陰極側に水素が濃縮され、気体として蒸散するので、電極周辺では酸素および水素を高濃度で獲得できる。得られた酸素は貯蔵用配管系を介して加圧貯蔵され、一時的に蓄えられた後消費用配管をへて病室等に供給されて、人体への投与に用いられる。いっぽう、水素は燃料電池に貯蔵され、後に発電用資源として利用されたり、水素供給配管系に投入される。
【００３０】システム構成としては、１．医療機関、患者宅等に単独の自家発電と電気分解装置システムを構築する。このなかに、医療機関または患者等消費者自身が装置システムを保有運用する様式と、消費者は酸素または水素を受け取るのみで、装置システムの保有運用者は第三者である様式をとる。２．いくつかの医療関連施設、患者宅等用の自家発電システムおよび地域的な酸素と水素の供給を担う共有の集中型電気分解システムを備える場合と、第三者が電気分解により得られた酸素と水素の消費者への配給を請け負う。の形態をとる。
【００３１】請求項６は、請求項５に記載の電気分解装置システム、あるいは電気分解装置システムの提供運用事業において、酸素、水素の獲得費用を低減するための運用ノウハウに関する。自家発電の効率がよい時間帯や運転条件時に、あるいは自家発電の余剰電力と蓄電装置を利用して、自家発電と電気分解に要する総額としての資源経費の縮減と総二酸化炭素排出量を削減しつつ、充分量の酸素と水素を産生して、大きな酸素または水素需要が生じる時のために貯蔵する仕組みを機能させる。
【００３２】すなわち、医療関連施設あるいは周辺地区において、光熱や組織稼動による消費電力が多い時間帯には、電気分解用には電力を投入せずに、消費電力が低下した時間帯に電気分解を作動して、酸素と水素を獲得し、酸素は医療用としてまた水素は燃料用として供給もしくは貯蔵する。また、酸素や水素の貯蔵を要しない場合は電気分解を行わず、余剰電力は蓄電装置や運動エネルギーとしてフライホイルに蓄えたり、システム外部に供給する。
【００３３】請求項７は、請求項５、６に記載の電気分解装置システム、あるいは電気分解装置システムの提供運用事業において、酸素、水素の獲得費用の低減と用途の多様化のための運用ノウハウに関する。自家発電の効率がよい時間帯、例えば日光照射や風力など自然エネルギーの強い時刻に、あるいは自家発電の余剰電力と蓄電装置またはフライホイル等蓄エネルギー装置を利用して、自家発電と電気分解に要する全体としての資源経費の縮減と総二酸化炭素排出量を削減しつつ、充分量の酸素と水素を産生して、酸素または水素需要のために適切に貯蔵する仕組みを機能させる。すなわち、医療関連施設あるいは周辺地区において、光熱や組織稼動による消費電力が多い時間帯には、電気分解用には電力を投入せずに、消費電力が低下した時間帯に電気分解を作動して、酸素と水素を獲得し、酸素は医療用、燃焼機関の吸入系への投入用、汚水の浄化用としてまた水素は燃料用として供給もしくは貯蔵する。また、この場合で酸素や水素の貯蔵レベルが充分である場合は電気分解を行わず、余剰電力は蓄電装置に蓄えたり、システム外部に供給する。
【００３４】請求項８では電解漕に水を満たされた電気分解装置に、整流後の市販電力と天然ガス、燃料電池、風力、太陽光、水力、地熱などによる自家発電あるいは共同事業者による発電源からの配電電力を投入して得られた高濃度酸素を人体治療に、また得られた水素は貯蔵、燃料として再使用に用いるコジェネレーションを構成する。電気分解装置システムを作動すると、電解槽内の陽極側に酸素が、陰極側に水素が濃縮され、気体として蒸散するので、電極周辺では酸素および水素を高濃度で獲得できる。得られた酸素は貯蔵用配管系を介して加圧貯蔵され、一時的に蓄えられた後消費用配管をへて病室等に供給されて、人体への投与に用いられる。いっぽう、水素は貯蔵され、後に発電用資源として利用されたり、水素供給配管系に投入される。
【００３５】システム構成としては、１．医療機関、患者宅等に単独の電気分解装置システムを構築する。このなかに、医療機関または消費者自身が装置システムを保有運用する様式と、消費者は酸素または水素を受け取りその対価を決済するのみで、装置システムの保有運用者は第三者である様式をとる。２．いくつかの医療関連施設、患者宅等用の地域的な酸素と水素の供給を担う集中型電気分解システムを備えて、電気分解により得られた酸素と水素の消費者への配給を請け負いその対価を受け取る。の実施形態をとる。
【００３６】請求項９は、請求項８に記載の電気分解装置システム、あるいは電気分解装置システムの提供運用事業において、酸素、水素の獲得費用を低減するための運用ノウハウに関する。電力料金の安価な時間帯または需要者にとって有利な購入条件のもとで、あるいは電力売買市場から購入した安価な電力を利用して、電気分解に要する消費電力経費を削減しつつ、または自家発電の効率がよい時間帯や運転条件時に、あるいは自家発電の余剰電力と蓄電装置を利用して、電力購入費と自家発電と電気分解に要する総額としての資源経費の縮減と総二酸化炭素排出量を削減しつつ、充分量の酸素と水素を産生して、大きな酸素または水素需要が生じる時のために貯蔵する仕組みを機能させる。
【００３７】すなわち、医療関連施設あるいは周辺地区において、光熱や組織稼動による消費電力が多い時間帯には、電気分解用には電力を投入せずに、消費電力が低下した時間帯に電気分解を作動して、酸素と水素を獲得し、酸素は医療用としてまた水素は燃料用として供給もしくは貯蔵する。また、酸素や水素の貯蔵を要しない場合は電気分解を行わず、余剰電力は蓄電装置や運動エネルギーとしてフライホイルに蓄えたり、システム外部に供給する。
【００３８】請求項１０は、請求項８，９に記載の電気分解装置システム、あるいは電気分解装置システムの提供運用事業において、酸素、水素の獲得費用の低減と用途の多様化のための運用ノウハウに関する。電力料金の安価な時間帯または需要者にとって有利な購入条件のもとで、あるいは電力売買市場から購入した安価な電力を利用して、電気分解に要する消費電力経費を削減しつつ、または自家発電の効率がよい時間帯、例えば日光照射や風力など自然エネルギーの強い時刻に、あるいは自家発電の余剰電力と蓄電装置またはフライホイル等蓄エネルギー装置を利用して、電力購入費と自家発電と電気分解に要する全体としての資源経費の縮減と総二酸化炭素排出量を削減しつつ、充分量の酸素と水素を産生して、酸素または水素需要のために適切に貯蔵する仕組みを機能させる。
【００３９】すなわち、医療関連施設あるいは周辺地区において、光熱や組織稼動による消費電力が多い時間帯には、電気分解用には電力を投入せずに、消費電力が低下した時間帯に電気分解を作動して、酸素と水素を獲得し、酸素は医療用、燃焼機関の吸入系への投入用、汚水の浄化用としてまた水素は燃料用として供給もしくは貯蔵する。また、この場合で酸素や水素の貯蔵レベルが充分である場合は電気分解を行わず、余剰電力は蓄電装置や運動エネルギーとしてフライホイルに蓄えたり、システム外部に供給する。
【００４０】請求項１１は局所における資源の産出と消費のミスマッチを是正することに関する。市販電力および自然エネルギー等の自家発電による発電電力と、水の電気分解等から発生する水素または酸素を交換比率に従って相互に実体資源をまたは理念上の資源を受け渡し、局地的な資源の停滞や資源産出の不均衡を防止する仕組みを複数の事業者間で構成運用する。
【００４１】甲という病院内に施設を保有する太陽光発電事業者が電力網に発電電力を投入して、電気分解設備を保有する乙は電力網からの給電による電気分解により配管網へ水素と酸素を投入し、発熱を自己消費する、さらに、丙は電気分解による水素を自動車燃料として貯蔵し、配管網へ酸素を投入する。従って、丙は配電網より取り出した消費電力を酸素供給に変換して、酸素供給網へ投入し、甲は酸素供給網より酸素を取り出すことにより、資源交換が決済される。乙は電力と酸素、水素の資源交換を決済し、設備投資資金を回収する利潤を得る。
【００４２】資源価値に不均衡がある場合には、時系列に従って是正したり、他の価値に変換決済する。または電力、水素、酸素およびこれらの産出時あるいは消費時の副次産物を交換または譲渡する権利関係を定めておくことにより資源を有効利用する仕組みを複数の事業者により構成する。また、事業形態として、電力と、水素、酸素の需給の適切化のために、各々の資源の余剰と必要分を受け渡しするネットワークを運営する。
【００４３】請求項１２は局地における資源の産出と消費のミスマッチを是正することに関する。市販電力および自然エネルギー等の自家発電による発電電力と、水の電気分解等から発生する水素または酸素、あるいは燃焼時に産出される熱量と排出二酸化炭素の資源を交換比率に従って相互に受け渡し、局地的な資源の停滞や資源産出の無駄を防止する仕組みを複数の事業者間で構成運用する。
【００４４】または電力、水素、酸素およびそれらの産出時あるいは消費時の副次産物である熱量と二酸化炭素を交換または譲渡する権利関係を定めておくことにより資源を有効利用する仕組みを複数の事業者により構成する。また、事業形態として、電力と、水素、酸素、熱量、また二酸化炭素排出権の需給の適切化のために、各々の資源の余剰と必要分の交換を受け渡しするネットワークを運営する。
【００４５】すなわち、市販電力または自然エネルギー等自家発電による発電電力と、水の電気分解等から発生する水素または酸素と、二酸化炭素の排出を伴わないエネルギー産生により発生する二酸化炭素排出権を交換または売買、同時に産出する酸素を人体治療のために供給利用する相互補完システム、および自家発電や、自然エネルギーによる発電電力の受電装置を備え、それを電源とする水の電気分解装置を備え、発生する水素を販売、若しくは燃料として変換再利用し、同時に産出する酸素を人体治療のために供給利用し、二酸化炭素の排出を伴わないエネルギー産生により発生する二酸化炭素排出権を創出するするコジェネレーションシステムを提供運営する事業を構成する。
【００４６】請求項１３は局所における資源の産出と消費のミスマッチを是正することに関する。市販電力および自然エネルギー等の自家発電による発電電力と、水の電気分解等から発生する水素または人体治療のために利用する酸素を交換比率に従って相互に直接または書面上で受け渡し、局地的な資源の停滞や資源産出の不均衡を防止する仕組みを複数の事業者間で構成する。または電力、水素、酸素およびこれらの産出時あるいは消費時の副次産物を交換または譲渡する権利関係を定めておくことにより資源を有効利用する仕組みを複数の事業者により構成する。また、事業形態として、電力と、水素、人体治療のために利用する酸素の需給の適切化のために、各々の資源の余剰と必要分を受け渡しするネットワークを運営する。
【００４７】請求項１４は水の電気分解において、酸素と同時に発生するオゾン水の活用に関する。請求項１から１３に記載の安価な高濃度酸素供給機構としての水の電気分解装置において、同時に発生するオゾン水を医療施設あよび施設内物品、食物等の殺菌消毒に用いる。または、オゾン水を殺菌消毒に利用するシステムを提供運営する事業形態を構築する。
【００４８】医療機関、介護施設や在宅酸素療法中の患者宅等で使用される高濃度の酸素は酸素供給業者からボンベにつめて納入されたり大気中の酸素の濃縮によって得られてきた。また、小ボンベで販売される酸素は老人ホーム、スポーツジムなど何処でも使用可能であるが、高価なものである。請求項１５では電解漕に水を満たされた電気分解装置に整流後の市販電力あるいは自家発電電力を投入して得られた高濃度酸素を人体治療や生理機能の回復や向上に、また得られた水素は貯蔵または配送によって、燃料として再使用に用いるコジェネレーションを構成する。
【００４９】電気分解装置システムを作動すると、電解槽内の陽極側に酸素が、陰極側に水素が濃縮され、気体として蒸散するので、電極周辺では酸素および水素を高濃度で獲得できる。得られた酸素は貯蔵用配管系を介して加圧貯蔵され、一時的に蓄えられた後消費用配管をへて病室、トレーニング室等に供給されて、人体への投与に用いられる。いっぽう、水素は貯蔵され、後に発電用資源として利用されたり、水素供給配管系に投入される。システム構成例としては、１．医療機関、老人ホーム、スポーツセンター、患者宅等に単独の電気分解装置システムを構築する。このなかに、医療機関、老人ホーム、スポーツセンターまたは患者等消費者自身が装置システムを保有運用する様式と、消費者は酸素または水素を受け取るのみで、装置システムの保有運用者は第三者である様式をとる。２．いくつかの医療関連施設、老人ホーム、スポーツジム、患者宅等用の地域的な酸素と水素の供給を担う共有の集中型電気分解システムを備える場合と、第三者が保有運用する集中型電気分解システムから得られた酸素と水素の各消費者へ配給を請け負う。の実施形態をとる。
【００５０】請求項１６では電解漕に水を満たされた電気分解装置に天然ガス、燃料電池、風力、太陽光、水力、地熱などによる自家発電あるいは共同事業者による発電源からの配電電力を投入して得られた高濃度酸素を人体治療に、また得られた水素は貯蔵または配送によって、燃料として再使用に用いるコジェネレーションを構成する。システム構成としては、１．医療機関、老人ホーム、スポーツジム、患者宅等に単独の自家発電と電気分解装置システムを構築する。このなかに、医療機関、スポーツジムまたは患者等消費者自身が装置システムを保有運用する様式と、消費者は酸素または水素を受け取るのみで、装置システムの保有運用者は第三者である様式をとる。２．いくつかの医療関連施設、スポーツジム、患者宅等用の自家発電システムおよび地域的な酸素と水素の供給を担う共有の集中型電気分解システムを備える場合と、第三者が電気分解により得られた酸素と水素の消費者への配給を請け負う。の形態をとる。
【００５１】請求項１７では電解漕に水を満たされた電気分解装置に整流後の市販電力、また天然ガス、燃料電池、風力、太陽光、水力、地熱などによる自家発電あるいは共同事業者による発電源からの配電電力を投入して得られた高濃度酸素を人体治療に、また得られた水素は貯蔵または配送によって、燃料として再使用に用いるコジェネレーションを構成する。
【００５２】システム構成としては、１．医療機関、老人ホーム、スポーツジム、患者宅等に単独の市販電力の受電系設備および自家発電と電気分解装置システムを構築する。このなかに、医療機関、スポーツジムまたは患者等消費者自身が装置システムを保有運用する様式と、消費者は酸素または水素を受け取るのみで、装置システムの保有運用者は第三者である様式をとる。２．いくつかの医療関連施設、スポーツジム、患者宅等用の受電系設備と自家発電システムおよび地域的な酸素と水素の供給を担う共有の集中型電気分解システムを備える場合と、第三者が電気分解により得られた酸素と水素の消費者への配給を請け負う。の形態をとる。
【００５３】請求項１８は、請求項１から１７に記載の医療関連また保健施設等における市販電力利用、自家発電、電気分解装置システム、産出エネルギー貯蔵、酸素、水素、熱量、二酸化炭素排出権の利用あるいはこれらの資源産出、供給、貯蔵および利用システムの運営において、統括的経費の削減と資源用途の多様化のための運用ノウハウに、また地域の医療保健機関における資源の産出と消費の偏在によるミスマッチを是正することに関する。
【００５４】地域に分布する複数の医療関連施設内部の資源エネルギー管理部門からの配給や受領依頼をとりまとめる、もしくは施設内エネルギー部門運営の受託業務を執行する事業者からの資源配給と受領の依頼を調整する。または、資源エネルギーをまかなう施設を複数の医療関連施設内に設置運営する業務を執行する事業体によって、傘下の医療保健機関における資源需給の最適化を可能とする。
【００５５】すなわち、施設ごとの電力需要、酸素需要と資源産出能力などを入力されたコンピューター処理手法を用いて解析し、多施設のエネルギー資源の生産と配給および消費を統括制御下に管理して、外部との資源投入と外部への配給を一括管理して、需給動態を最適化する業務を執行する。
【００５６】単純な例として、市販電力および自然エネルギー等の自家発電による発電電力と、水の電気分解等から発生する水素または人体治療のために利用する酸素を交換比率に従って相互に直接または理念上で受け渡し、局地的な資源の停滞や資源産出の不均衡を是正する仕組みを複数の事業者間で構成する。または電力、水素、酸素およびこれらの産出時あるいは消費時の副次産物を交換または譲渡する権利関係を定めておくことにより資源を有効利用する仕組みを複数の事業者により構成する。
【００５７】また、事業形態として、電力と、水素、人体治療に利用する酸素の需給適正化のために、複数の資源産出者と消費者間で総資源産出量と消費量の把握のもとに、参加者各々の資源の余剰と必要分を認識して、受け渡しするネットワークを運営する事業体を形成する。
【００５８】ＳＰＤは外部組織による医療機関内業務の効率化を目的とする医療機関運営の支援業務である。ＳＰＤ業務を実行する企業は、院内物品消費を認識して最小限の在庫で医療機関内への物品供給をおこない物流を確保する。
【００５９】請求項１９に記載の、院外一括供給型ＳＰＤでは院外の一社に限定して、物品の供給管理とともに院外型の本発明システムを介して電力エネルギー、または酸素、水素等のガス、水道水等の受け渡しをおこなう。院外物流管理型ＳＰＤでは一社に限定せず、院外のＳＰＤ運営会社を経て物流管理する物品構成に電力エネルギー、または酸素、水素等のガス、水道水等を取り込んで受け渡しをおこなう。院内業務委託型ＳＰＤでは院内に本発明の施設を設置し物品の供給管理とともに電力、酸素、水素等の産生、供給、消費に関する運営をＳＰＤ会社に業務委託をする。院内運営型ＳＰＤでは院内に物品の供給管理施設とともに本発明の施設を設置し、病院や介護施設、或いは各種保健施設の職員を含んだ人員が運営管理する電力、酸素、水素の供給産出管理システムを構築する。
【００６０】請求項２０は、請求項１から１９に記載の、市販電力、自家発電電力、電気分解装置システム、産出エネルギー貯蔵、酸素、水素、熱量、二酸化炭素排出権の有効利用あるいはこれらの資源産出、供給、貯蔵および利用システムの運営において、統括的経費の削減と資源用途の多様化のための運用ノウハウに、また広範な地域における資源の産出と消費の不適合を是正することに関する。
【００６１】地域的に分布する複数の電力、水素等燃料、酸素、熱量、の産出者による産出資源提供量と価格および消費者による資源購入量と購入価格、資源の配給網能力と配給コストと購入コストの動態を評価し、地域資源の受け渡しを調整して浪費を極小化するとともに需給動態を最適化する業務を執行する。すなわち、地域的に分布する複数の電力、水素等燃料、酸素、熱量、の産出者の産出資源量と産出コストおよび消費者による受益価値と資源消費コスト、資源の配給網能力と配給コストの動態全容を、システム参加者よりの入力情報に基づいて、有限要素法や多因子分析、リスクマネジメントなどに従ったコンピューター処理手法を用いて解析し、地域エネルギー資源の生産と配給および消費を統括制御下に管理して需給動態を最適化する業務を執行する。
【００６２】発電者から電力消費者に至る電力供給は全国の国内送電網によって連結されるため、遠隔地間においても発電量の総和と総消費を分配しあうことで送電損失を回避しつつ複数の電力供給者と電力消費者との間でオンタイムに電力供給と消費を補完しあうことが可能である。しかしながら、電力そのものの貯蔵は未だ困難であり動的均衡をもって発電量を消費しないと電力浪費をきたすことになる。
【００６３】一方、酸素と水素については、広大かつ迅速な配給網を構築することが困難であり、遠隔地間で供給と消費をオンタイムで融通しあうことは事実上不可能であるが、酸素や水素は配管や貯蔵、運搬によって、電力とは異なって時間軸には制限されずに収支を調整できる利点を有する。よって、発電者が所望もしくは最適な発電量を実現したときの余剰電力を全国配電網に投入し、第三者の電力消費者は配電網より電力を引き出して水の電気分解により燃料としての水素の貯蔵と使用価値の高い酸素利用に置換すれば、発電エネルギーを、燃費の向上、産出物への価値付加、電力損失の軽減、再利用用エネルギーの貯蔵、の点において最大活用することになる。
【００６４】水素は燃料電池に畳み込めば、利用しやすいエネルギー源として自動車から電化製品にいたるまで幅広く活用される。加えて、酸素は人体への投与により生理機能の改善や補強に有用である。
【００６５】従って、貯蔵水素や酸素、熱量、二酸化炭素排出権を電力と従量的もしくは使用権利の階層において交換することにより、医療機関自体や医療機関における酸素とエネルギー供給の請負業態等は自家発電で獲得して送電網に投入した電力を夜間余剰電力から得る酸素や水素等と交換して経費を節減できる。また、医療機関は水素ステーションと称する水の電気分解から水素を得る施設から酸素をうけとり、水素を戻せば、両者にとって一挙両得である。
【００６６】請求項２１は、請求項１から請求項２０の構成要素である水の電気分解による高濃度酸素供給機構における酸素供給の安定化に関する。耐圧容器に充填した酸素を酸素貯蔵局所へ運搬接続して酸素消費局所における副次的酸素補充手段とすることで、水の電気分解に要する経費と外部よりの酸素供給経費を参照してシステム運用の効率を改善したり、長期の停電その他の事故によるシステム不具合のバックアップとできる。
【発明の効果】本発明によれば、安価な酸素が、容易で安定した管理の下で供給が出来るため、従来の運搬や酸素補給の業務を省力化し、施設内のスペースを削減することも可能となり、エネルギー使用量の削減と、運搬に伴う公害の発生をなくすとともに、水素、電力、熱、オゾン水の供給等のサービスを合わせて行うことが出来る。仮に、交通事情、災害等によって酸素需給に急激な不足が生じた場合でも水の電気分解量を引き上げるのみで充分な対応が可能となる。くわえて、医療機関や介護施設においては、健康保険者に請求する酸素費用は実費とされたり、経費と算定されにくい場合もあるので、電力量使用、設備費など含めて病院その他の施設では経営効率の向上に寄与することになる。在宅酸素治療においても、膜型酸素産生装置に比べて電気代の節減と酸素貯蔵における利点を有する。また、ＳＰＤのサブプロセスとしての、また地域資源活用システムとしての本発明の効果は、院外院内のいずれの型においても本発明システムを基幹とするネットワーク構成により、近隣機関との酸素、水素、および供給電力の分配と相互補完を行うことが出来て、医療施設のみならず水素ステーション、燃料電池ステーション、燃焼機関への酸素、水素の供給等の資源活用の地域ネットワークシステムにも拡大できることにある。この場合、単に金銭上の取引に留まらず、酸素、水素と供給電力との交換、酸素、水素と水道供給との交換も考えられ、更に設備費用の減価償却とリース資産の水素による支払いも考慮に入れられる。水素のエネルギーとしての有用性と価格から見れば、本発明システムは、余剰により、或いは自然エネルギー利用により供給される電力を用いた水の電気分解による水素産生貯蔵系からの酸素副産物を人体に供給するシステムともいえる。
【図面の簡単な説明】
【図１】図面１は本発明のシステムのフローチャートを示す。
深夜電力、自然エネルギー発電、自家発電余剰電力等は受電設備を通じて電力供給制御装置に供給される。またシステム内で発電された電力もフィードバックされて電力供給制御装置に入力される。システム内の情報に基づいてもっとも安価もしくは適切な電力が選択され水の電気分解装置に供給される。水の電気分解によって得られた酸素と水素は夫々の貯蔵装置に入れられ、発生した熱は冷暖房、温水装置にてコジェネレーションシステムとして利用される。オゾン水は消毒、滅菌に使用される。貯蔵された酸素は施設内の酸素供給装置により必要とする場所に送られ使用される。または施設外に供給される。貯蔵された水素は水素ステーション等へ供給されるか、もしくは燃料電池用に保存され電力需要の増大に合わせて再電力化され、自身で利用または外部へ供給販売されるか、もしくは電力供給制御装置に入力され、再び水の電気分解に利用される。燃料電池より発生する熱は冷暖房装置や温水装置に利用される。
【図２】図面２は本発明のサプライチェーンマネジメントのシステムフローチャートを示す
本特許請求に記載の機能を具備する複数のオンサイトサークルを統合制御するサプライチェーンヘッドクォーターをセンターとして、地域的なエネルギーと酸素、水素の需給管理を最適化できるネットワークを構成する。そしてこのネットワークのサプライチェーンマネジメントの対象となるインフォーメイションフロー（情報の流れ：　図２（１））、マテリアルフロー（物流：　図２（２））及びファイナンシャルフロー（金の流れ：　図２（３））における機能様式の一例を、簡単にフローチャートとして示す。
サプライチェーンマネジメントの中で、本発明の対象となる顧客に対する供給者は、「ひとつまたは複数の本特許記載のサプライオンサイトシステム」であり、顧客は図中の「医療介護等施設」、「その他の酸素消費者」、「その他の施設、スポーツジム、エステ、水素ステーション」である。更に、「配電元」、「電力供給元、電力会社発電部門、自家発電をもつ工場、コンビニ、スーパー、ホテル等」と「自然エネルギーによる発電施設」等は「ひとつまたは複数の本特許記載のサプライオンサイトシステム」への供給者である。
物流の物は、「酸素」、「水素」、「熱」、「オゾン水」、「電力」及び「余剰電力」である。このシステムに対するエネルギーの供給者が、「配電元」、「電力供給元、電力会社発電部門、自家発電をもつ工場、コンビニ、スーパー、ホテル等」及び「自然エネルギー発電施設」であり、その供給エネルギーは「深夜電力」、「電力」及び「余剰電力」である。「サプライチェーンヘッドクォーター」は、従来のＳＰＤなどのサプライチェーンマネジメントの業務以外に顧客への「定期巡回サービス」と「サプライオンサイトシステム」の「メインテナンス」業務を執行する。「サプライオンサイトシステム」は、インフォーメイションフローとマテリアルフローの中心となり業務を行う。複数のサイトが存在する場合はそれぞれの顧客に対応して業務を行うが、共通の資源配給元と酸素や水素の消費者に対して、各サイトが分担したり、重複して物流を担当することができる。ファイナンシャルフローについては、「サプライチェーンヘッドクォーター」は「サプライオンサイトシシテム」との情報交換に基づき、マネジメント全体の運営、監視及び保守管理を行うと共に、ファイナンシャルフローの集計を担当し、すべての顧客と供給者に対する資源の供給と消費に関する包括的な経理処理を行う。
【図１】
2004057778.tif 000003
【図２】
2004057778.tif 000004
【図２】
2004057778.tif 000005
【図２】
2004057778.tif 000006
【手続補正書】
【提出日】平成14年11月5日(2002.11.5)
【手続補正２】
【補正対象書類名】図面
【補正対象項目名】全図
【補正方法】変更
【補正の内容】
【図１】
2004057778.tif 000007
【図２】
2004057778.tif 000008
【図３】
2004057778.tif 000009
【図４】
2004057778.tif 000010
【手続補正３】
【補正対象書類名】明細書
【補正対象項目名】図面の簡単な説明
【補正方法】変更
【補正の内容】
【図面の簡単な説明】
【図１】図１は本発明のシステムのフローチャートを示す。
（深夜電力、自然エネルギー発電、自家発電余剰電力等は受電設備を通じて電力供給制御装置に供給される。またシステム内で発電された電力もフィードバックされて電力供給制御装置に入力される。システム内の情報に基づいてもっとも安価もしくは適切な電力が選択され水の電気分解装置に供給される。水の電気分解によって得られた酸素と水素は夫々の貯蔵装置に入れられ、発生した熱は冷暖房、温水装置にてコジェネレーションシステムとして利用される。オゾン水は消毒、滅菌に使用される。貯蔵された酸素は施設内の酸素供給装置により必要とする場所に送られ使用される。または施設外に供給される。貯蔵された水素は水素ステーション等へ供給されるか、もしくは燃料電池用に保存され電力需要の増大に合わせて再電力化され、自身で利用または外部へ供給販売されるか、もしくは電力供給制御装置に入力され、再び水の電気分解に利用される。燃料電池より発生する熱は冷暖房装置や温水装置に利用される。
図面２，３，４は本発明のサプライチェーンマネジメントのシステムフローチャートを示す。本特許請求に記載の機能を具備する複数のオンサイトサークルを統合制御するサプライチェーンヘッドクォーターをセンターとして、地域的なエネルギーと酸素、水素の需給管理を最適化できるネットワークを構成する。）
【図２】図２はこのネットワークのサプライチェーンマネジメントの対象となるインフォーメイションフロー（情報の流れ）を示す。
（サプライチェーンマネジメントの中で、本発明の対象となる顧客に対する供給者は、「ひとつまたは複数の本特許記載のサプライオンサイトシステム」であり、顧客は図中の「医療介護等施設」、「その他の酸素消費者」、「その他の施設、スポーツジム、エステ、水素ステーション」である。更に、「配電元」、「電力供給元、電力会社発電部門、自家発電をもつ工場、コンビニ、スーパー、ホテル等」と「自然エネルギーによる発電施設」等は「ひとつまたは複数の本特許記載のサプライオンサイトシステム」への供給者である。
物流の物は、「酸素」、「水素」、「熱」、「オゾン水」、「電力」及び「余剰電力」である。このシステムに対するエネルギーの供給者が、「配電元」、「電力供給元、電力会社発電部門、自家発電をもつ工場、コンビニ、スーパー、ホテル等」及び「自然エネルギー発電施設」であり、その供給エネルギーは「深夜電力」、「電力」及び「余剰電力」である。「サプライチェーンヘッドクォーター」は、従来のＳＰＤなどのサプライチェーンマネジメントの業務以外に顧客への「定期巡回サービス」と「サプライオンサイトシステム」の「メインテナンス」業務を執行する。「サプライオンサイトシステム」は、インフォーメイションフローとマテリアルフローの中心となり業務を行う。複数のサイトが存在する場合はそれぞれの顧客に対応して業務を行うが、共通の資源配給元と酸素や水素の消費者に対して、各サイトが分担したり、重複して物流を担当することができる。ファイナンシャルフローについては、「サプライチェーンヘッドクォーター」は「サプライオンサイトシシテム」との情報交換に基づき、マネジメント全体の運営、監視及び保守管理を行うと共に、ファイナンシャルフローの集計を担当し、すべての顧客と供給者に対する資源の供給と消費に関する包括的な経理処理を行う。）
【図３】図３はこのネットワークにおけるマテリアルフロー（物流）を示す。
（複数のサイトが存在する場合はそれぞれの顧客に対応して業務を行うが、共通の資源配給元と酸素や水素の消費者に対して、各サイトが分担したり、重複して物流を担当することができる。）
【図４】図４はこのネットワークにおけるファイナンシャルフロー（金の流れ）における機能様式の一例を、簡単にフローチャートとして示す。
（ファイナンシャルフローについては、「サプライチェーンヘッドクォーター」は「サプライオンサイトシシテム」との情報交換に基づき、マネジメント全体の運営、監視及び保守管理を行うと共に、ファイナンシャルフローの集計を担当し、すべての顧客と供給者に対する資源の供給と消費に関する包括的な経理処理を行う。）